(57)【要約】【課題】果実類の個包装においてその鮮度を保持できる発泡ネット、及び、果実類の箱梱包搬送や保管時においてその鮮度を保持できる発泡シートを提供する。【解決手段】塩化ナトリウム、塩化マグネシウム、塩化カルシウム及び塩化カリウムからなる群より選ばれる少なくとも一種の無機塩１０〜１０００ｐｐｍと、グリセリンの脂肪酸エステル１０００〜２００００ｐｐｍを含むポリオレフィン系樹脂、或いは、ナトリウムイオンとマグネシウムイオンを５０〜１０００ｐｐｍ分散させたポリオレフィン系樹脂からなる発泡ネット（発泡キャップネット、発泡中敷ネット）及び発泡シートであって、シート厚さが２．０〜１２．０ｍｍ（又は発泡ストランド径が１.５〜２０.０ｍｍ）、発泡倍率がシートで２０〜６０倍、ネットで３０〜７０倍であるポリオレフィン系樹脂食品鮮度保持用発泡ネット及び発泡シート。【選択図】なし【特許請求の範囲】
【請求項１】
塩化ナトリウム、塩化マグネシウム、塩化カルシウム及び塩化カリウムからなる群より選ばれる少なくとも一種の無機塩１０〜１０００ｐｐｍと、グリセリンの脂肪酸エステル１０００〜２００００ｐｐｍを含み、発泡ストランド径が１.５〜２０.０ｍｍ、発泡倍率が３０〜７０倍であるポリオレフィン系樹脂食品鮮度保持用発泡ネット。
【請求項２】
ナトリウムイオンとマグネシウムイオンを分散させたポリオレフィン系樹脂からなる発泡ネットであって、前記ナトリウムイオンとマグネシウムイオンの含有量が５０〜１０００ｐｐｍ、発泡ストランド径が１.５〜３.０ｍｍ、発泡倍率が２０〜６０倍であるポリオレフィン系樹脂食品鮮度保持用発泡ネット。
【請求項３】
塩化ナトリウム、塩化マグネシウム、塩化カルシウム及び塩化カリウムからなる群より選ばれる少なくとも一種の無機塩１０〜１０００ｐｐｍと、グリセリンの脂肪酸エステル１０００〜２００００ｐｐｍを含み、シート厚が２.０〜１２.０ｍｍ、発泡倍率が２０〜６０倍であるポリオレフィン系樹脂食品鮮度保持用発泡シート。
【請求項４】
ナトリウムイオンとマグネシウムイオンを分散させたポリオレフィン系樹脂からなる発泡シートであって、前記ナトリウムイオンとマグネシウムイオンの含有量が５０〜１０００ｐｐｍ、シート厚が２.０〜１２.０ｍｍ、発泡倍率が２０〜６０倍であるポリオレフィン系樹脂食品鮮度保持用発泡シート。
【発明の詳細な説明】
【技術分野】
【０００１】
本発明は、主に桃、ぶどう、柿、等の果実類を中心とした青果物について、搬送、取り扱い時の製品果実の損傷を防ぎ、鮮度を維持するためのポリオレフィン系樹脂食品鮮度保持用発泡ネット及び発泡シートに関する。
【背景技術】
【０００２】
一般に果実類の中でも鮮度の低下が早い、桃、ぶどう、柿、等は表面が柔らかく、圧迫や擦り傷で損傷し易いことから、製品果実を保護する目的で、また、メロンやマンゴー等、更には野菜類に分類されるトマトやアボガド等の高級品も、表面の保護と共に贈答用に高級感を演出する目的で、最近は個単位でチューブ状になったポリオレフィン系樹脂の発泡キャップネットが用いられて来ている。
【０００３】
また、汎用品としてのリンゴ、梨、等の他、苺やサクランボ等は、数十個単位で深絞りの透明ＯＰＳ容器に入れられた後、搬送時、損傷を受けない様に、箱詰め梱包時、発泡下敷シート、発泡中敷ネット、発泡中敷シート、更に上蓋として、製品果実を保護する目的で、箱の平面形状に合わせたポリオレフィン系樹脂の発泡シートや発泡中敷ネットが用いられて来ている。
【０００４】
特に、最近は国産の果実類に限らず、東南アジア、南米等の熱帯産の果実も多量に輸入され、また高級果実に限らず汎用な果実も消費者へ渡る前での損傷による廃棄を低減するために、個単位で発泡キャップネットで包装したり、発泡シートの下敷、中敷や発泡下敷ネットを施した箱に梱包して搬送されることが多くなり、物理的損傷による廃棄率は著しく減った。
【０００５】
しかし、果実類は採取された後、店頭、消費者に渡る段階でも生きていて呼吸をしていることで鮮度を維持おり、経時と共にその呼吸も少なくなり鮮度を失い、脱水、褐変、腐敗を生ずる。特に果実の皮が薄く、柔らかい桃やぶどう等は、鮮度の低下が早く、桃では、圧迫や擦り傷で、褐変、腐敗が進み、ぶどうでは、脱水、萎縮、脱粒が生じ、場合により黴が生じたりで、商品価値がなくなり店頭での廃棄率が高い。特に鮮度低下が早く、傷みの早い、桃、苺、脱渋後の柿等は、生産者、販売業者に限らず消費者にとっても購入後の賞味期限が短いことが問題となる。
【０００６】
この為、これら果実類の鮮度を少しでも維持する方法として、呼吸をコントロールする方法、所謂ＭＡ包装（Modified Atomsphere）、抗菌剤で雑菌の繁殖を抑える方法、或いは、遠赤外線やマイナスイオンの影響で、果実を活性化する方法等が提案されている。
【０００７】
例えば、特許文献１では、包装体となるフィルムに孔を断面積０.０７ｃｍ２以下で設けている。また特許文献２では、フィルム自体に貫通孔は設けないが孔径に近い加工を施している。また特許文献３では、酸素透過度の高いフィルムと多層化して１０００〜５０００００ｃｃ／ｍ２・ｄａｙ・ａｔｍの酸素透過度を持つフィルムでの密封包装を提案している。
【０００８】
しかし、これら青果物の呼吸をコントロールする方法には、密封包装による問題点も有る。即ち、呼吸によって生ずる水分や青果物自体への付着水が結露して、個包装の内部に残り、水分に接した部分の青果物が褐変したり、雑菌繁殖の温床になり易いので好ましくない。この為、呼吸をコントロールしながら結露を解消する方法が検討されている。例えば特許文献４では、呼吸をコントロールするフィルムへの孔開けの孔径を大きくし、数を増し水分溜まりを防止する方法が提案されている。しかし、これでは青果物の呼吸のコントロール効果も半減し、結露防止も完全には行えず中途半端な機能となり、更なる改良が求められる。しかし、これら果実類の呼吸をコントロールするには、密封包装する必要が有り、生産者、販売業者には、大変な負担となる。そこで、特許文献４で見られる様なチャック付き袋や、特許文献５の袋が提案されている。何れも、呼吸をコントロールすることから密封を必要とする。この為、呼吸によって生ずる水分が結露して、所謂、汗かく状態となり、水分に接した部分の果実が褐変したり、雑菌繁殖の温床になり易く、好ましくない。
【０００９】
そこで、呼吸をコントロールしながら結露を解消する方法が検討され、特許文献６では、呼吸をコントロールするフィルムへの孔開けの孔径を大きくし、数を増し水分溜まりを防止する方法も提案されている。しかし、これでは青果物の呼吸のコントロール効果も半減し、結露防止も完全とは行えず、中途半端な機能となり、更なる改良が求められている。
【００１０】
一方、雑菌の繁殖を防ぐ方法として、例えば、特許文献７では、イソオシアン酸化合物（ワサビ香気成分）、ヒノキ抽出液等、植物由来の抗菌剤を用いフィルム、トレーに塗工したり、練り込んだり、特許文献８では、同様にイソオシアン酸化合物（ワサビ香気成分）と界面活性剤を用いゲル化して抗菌性能を持続させたり、或いは特許文献９の様に、カテキン、タンニン、或いはポリフェノールを無機多孔質に担持させて、樹脂に練り込み、シートやトレー、容器にする方法が提案されている。
【００１１】
これらの植物由来の抗菌剤は、食の安全に関しては問題ないものの、一般的には水溶性で有る。この為、個包装された果実類とこれらを塗工、或いは包含した包装材が接触したりすると、水分を介してその成分が移り、果実類の味が変わり好ましくなく、また、結露水に抗菌剤が溶け込み、鮮度保持効果が低下したり、直接果実類に触れても味が変化することから、好ましくない。
【００１２】
この為、これらの方法とは別に青果物や動物性食材を対象に、無機セラミック材料や、ミネラル成分を用い、遠赤外線の発生やマイナスイオンの影響で、果実類の鮮度を維持する方法も提案されている。
【００１３】
例えば、特許文献１０では、炭酸リチウム、苦灰石、角閃石を微粉砕して樹脂に練り込みシート、ネット、等を作り、鮮度保持効果を謳った製品が提案され、特許文献１１では、抗菌性ゼオライト、ミネラル分を練り込んだシート、不織布を鮮度保持包装材として用いる方法が提案されている。これらの方法では、果実類の鮮度保持の機構が明確ではないものの、其れなりに効果が期待出来るが、問題はその包装材の現実的な作り方にある。即ち、これら無機セラミック類や、ミネラル分を微粉砕し、可塑化させた樹脂中に練り込む場合、金属から出来ている押出機、ダイス等の生産機械は、研磨剤を入れて生産するのと同じで、高温押出しにより磨耗が激しく、更にミネラル分が金属腐食を促進し、トレー、容器、フィルムの量産化ではメンテナンス頻度が高くなりコストが上がり、現実的には難しい。
【００１４】
以上説明した通り、果実類の損傷を保護し、鮮度を保持する効果が有り、賞味期限を延ばし、廃棄率の低減が可能な包装資材が、生産者、販売業者に限らず、消費者からも求められていた。
【先行技術文献】
【特許文献】
【００１５】
【特許文献１】特開２０００−００４７８０号公報
【特許文献２】特開平０７−０４７５５９号公報
【特許文献３】特開平０６−０２２６８６号公報
【特許文献４】特開２００５−１７８８１７号公報
【特許文献５】特開平０５−０９６６９０号公報
【特許文献６】特開２０１０−２２８８０６号公報
【特許文献７】特開平０９−２１５４８５号公報
【特許文献８】特開平０９−１４０３６６号公報
【特許文献９】特開２００５−２７２５０３号公報
【特許文献１０】特開２００４−１２９５１６号公報
【特許文献１１】特開平１０−２７１９８１号公報
【発明の概要】
【発明が解決しようとする課題】
【００１６】
本発明の目的は、果実類の個包装においてその鮮度を保持できる発泡ネット、及び、果実類の箱梱包搬送や保管時においてその鮮度を保持できる発泡シートを提供することにある。
【課題を解決するための手段】
【００１７】
第一の本発明は、塩化ナトリウム、塩化マグネシウム、塩化カルシウム及び塩化カリウムからなる群より選ばれる少なくとも一種の無機塩１０〜１０００ｐｐｍと、グリセリンの脂肪酸エステル１０００〜２００００ｐｐｍを含み、発泡ストランド径が１.５〜２０.０ｍｍ、発泡倍率が３０〜７０倍であるポリオレフィン系樹脂食品鮮度保持用発泡ネット（発泡キャップネット及び発泡中敷ネットを含む）である。
【００１８】
第二の本発明は、ナトリウムイオンとマグネシウムイオンを分散させたポリオレフィン系樹脂からなる発泡ネットであって、前記ナトリウムイオンとマグネシウムイオンの含有量が５０〜１０００ｐｐｍ、発泡ストランド径が１.５〜３.０ｍｍ、発泡倍率が２０〜６０倍であるポリオレフィン系樹脂食品鮮度保持用発泡ネット（発泡キャップネットを対象）である。
【００１９】
第三の本発明は、塩化ナトリウム、塩化マグネシウム、塩化カルシウム及び塩化カリウムからなる群より選ばれる少なくとも一種の無機塩１０〜１０００ｐｐｍと、グリセリンの脂肪酸エステル１０００〜２００００ｐｐｍを含み、シート厚が２.０〜１２.０ｍｍ、発泡倍率が２０〜６０倍であるポリオレフィン系樹脂食品鮮度保持用発泡シートである。
【００２０】
第四の本発明は、ナトリウムイオンとマグネシウムイオンを分散させたポリオレフィン系樹脂からなる発泡シートであって、前記ナトリウムイオンとマグネシウムイオンの含有量が５０〜１０００ｐｐｍ、シート厚が２.０〜１２.０ｍｍ、発泡倍率が２０〜６０倍であるポリオレフィン系樹脂食品鮮度保持用発泡シートである。
【発明の効果】
【００２１】
本発明によれば、果実類の個包装においてその鮮度を保持できる発泡ネット、及び、果実類の箱梱包搬送や保管時においてその鮮度を保持できる発泡シートを提供できる。例えば、本発明の鮮度保持用発泡ネットを、桃、ぶどうの個包装に用いると、従来の発泡ネットに較べ賞味期限に適する鮮度状態を約２週間延ばすことが出来る。また、本発明の鮮度保持用発泡シートを、下敷、中敷に用い、桃、柿を梱包箱のまま保管すると、従来の発泡シートに較べ賞味期限に適する鮮度状態を約２〜３週間延ばすことが出来る。このことにより、生産者から販売業者、更には消費者も、新鮮な果実をより長く賞味出来る様になり、廃棄の低減によりコストを下げることも可能となる。
【発明を実施するための形態】
【００２２】
一般に果実類の梱包、包装資材としては、製品果実の表面の皮に損傷を与えず、また、多種形状、寸法、重量に対応出来る発泡ネット及び発泡シートが用いられて来ている。一般に果実包装の材質としては、日々使い捨てられることから汎用樹脂が用いられ、一部ラップでＰＶＣが用いられていることを除けば、ポリスチレン、ポリエチレン（ＰＥ）、ポリプロピレン（ＰＰ）に代表されるポリオレフィン系樹脂、或いは再生ペット樹脂等が用いられて来ている。ここで、ポリスチレンや再生ペットは、ガラス転移温度（Ｔｇ）が常温より高く、発泡させても比較的に剛性が高く柔軟性に欠け、また発泡体表面のササクレが果実の表皮を傷付け易く好ましくない。
【００２３】
そして、本発明の食品鮮度保持用発泡ネット及び発泡シートは、塩化ナトリウム、塩化マグネシウム、塩化カルシウム及び塩化カリウムからなる群より選ばれる少なくとも一種の無機塩と、グリセリンの脂肪酸エステルを含む、或いはナトリウムイオンとマグネシウムイオンを分散させたポリオレフィン系樹脂からなるものである。
【００２４】
そのポリオレフィン系樹脂としては、ホモポリプロピレン（ｈ−ＰＰ）、ブロックポリプロピレン（ｂ−ＰＰ）、ランダムポリプロピレン（ｒ−ＰＰ）に代表されるポリプロピレン系樹脂、及び、高密度ポリエチレン（ＨＤＰＥ）、直鎖状低密度ポリエレン（ＬＬＤＰＥ）、低密度ポリエチレン（ＬＤＰＥ）に代表されるポリエチレン系樹脂が挙げられる。これらポリオレフィン系樹脂は、一種を単独で、或いは二種以上の混合物として使用できる。
【００２５】
また、これらポリプロピレン系樹脂又はポリエチレン系樹脂を主体とし、さらに他のポリオレフィン系樹脂、ポリオレフィン系エラストマー、ゴム成分等を配合して所望の物性を得ることも可能である。また、必要に応じて着色剤、可塑剤、帯電防止剤等の各種添加剤を配合しても良い。
【００２６】
第一及び第三の本発明でポリオレフィン系樹脂に添加される無機塩は、塩化ナトリウム、塩化マグネシウム、塩化カルシウム及び塩化カリウムからなる群より選ばれる少なくとも一種の無機塩である。ここで用いられる無機塩としては、上記塩化ナトリウム、塩化マグネシウム、塩化カルシウム、塩化カリウムを夫々単独で含んでもよいが、二種、あるいは三種、あるいは四種全てを含んでいてもよい。
【００２７】
また、同様に第一及び第三の本発明でポリオレフィン系樹脂に添加されるグリセリンの脂肪酸エステルは、通常、グリセリンと炭素数が８以上で１８程度以下、具体的には、例えば、カプリル酸、ペラルゴン酸、カプリン酸、ラウリン酸、ミリスチン酸、パルミチン酸、ステアリン酸、オレイン酸、リノール酸、１２−ヒドロキシステアリン酸、などの高級脂肪酸とのモノエステル（モノグセライド）、ジエステル（ジグリセライド）、若しくはジグリセリンなどのポリグリセリンと高級脂肪酸のエステル、或いはそれらの混合物が挙げられる。
【００２８】
発泡方法は特に限定されない。例えば、ＡＤＣＡ（アゾ・ジカルボ・アミド）、重曹（ＮａＨＣＯ３）・クエン酸系或いはポリカルボン酸塩系に代表される化学発泡剤を、原粉のまま又はマスターバッチとして樹脂に配合する方法、或いは、ＣＯ２ガス、Ｎ２ガス、又は、ブタンやペンタン等の石油炭化水素系ガスを可塑化させた樹脂中へ混練する方法がある。特に、重曹クエン酸塩やタルク等の各種の発泡核剤を樹脂中に微量配合することで、均一な微細発泡を促すことが出来る。
【００２９】
本発明の第一の発明は、発泡キャップネットと発泡中敷ネットを対象とした発泡ネットで、その発泡ストランド径は１.５〜２０.０ｍｍ、発泡倍率は３０〜７０倍と規定している。ストランド径が１.５ｍｍ未満の場合は、発泡倍率にもよるが、低倍率になる程伸縮性がなくなり、果実に被せる際の延伸で細くなり切断することが多くなる。一方、ストランド径が２０.０ｍｍを超える場合は、ネットが嵩張り、製品果実の梱包スペースを狭めると共に、搬送や保管コストの点で好ましくない。従って、発泡ネットの発泡ストランド径は１.５〜２０.０ｍｍであり、発泡キャップネットとしては特に２.０〜２.５ｍｍ径の円又は楕円のストランドが好ましく、発泡中敷ネットとしては厚さ２.０〜５.０ｍｍ、幅１０.０〜１５.０ｍｍの扁平ストランドが好ましい。また、発泡倍率が３０倍未満の場合は、果実類の大きさに対応して覆うことは可能だが、クッション性がなく、特に表皮が柔らかい果実には不適である。一方、発泡倍率が７０倍を超える場合は、果実類を覆う包装は可能だが、強度的に弱くなり、ネットが嵩張り、製品果実の梱包スペースを狭めるので好ましくない。従って、発泡ネットの発泡倍率は３０〜７０倍であり、特に５０〜６５倍が好ましい。
【００３０】
又、本発明の第二の発明は、発泡キャップネットを対象とした発泡ネットで、その発泡ストランド径は１.５〜３．０ｍｍ、発泡倍率は２０〜６０倍を規定している。ストランド径が１.５ｍｍ未満の場合は、発泡倍率にもよるが、低倍率になる程伸縮性がなくなり、果実に被せる際の延伸で細くなり切断することが多くなる。一方、ストランド径が３．０ｍｍを超える場合は、ネットが嵩張り、製品果実の梱包スペースを狭めると共に、搬送や保管コストの点で好ましくない。従って、発泡ネットの発泡ストランド径は１.５〜３．０ｍｍであり、発泡キャップネットとしては特に２.０〜２.５ｍｍ径の円又は楕円のストランドが好ましい。また、発泡倍率が２０倍未満の場合は、果実類の大きさに対応して覆うことは可能だが、クッション性がなく、特に表皮が柔らかい果実には不適である。一方、発泡倍率が６０倍を超える場合は、果実類を覆う包装は可能だが、ネットが嵩張り、製品果実の梱包スペースを狭めるので好ましくない。従って、発泡キャップネットの発泡倍率は２０〜６０倍であり、特に４５〜５５倍が好ましい。
【００３１】
本発明の第三及び第四の発明である発泡シートは、厚さが２.０〜１２.０ｍｍ、発泡倍率が２０〜６０倍である。発泡シートの厚さが２.０ｍｍ未満の場合は、発泡倍率にもよるが梱包箱の下敷及び中敷として用いてその上に果実類を並べると、果実の形状、重さ、表皮の状態によってはクッション性がなくなる。一方、厚さが１２.０ｍｍを超える場合は、嵩張って梱包中の果実類スペースを狭めることになる。従って、本発明の発泡シートの厚さは２.０〜１２.０ｍｍであり、更に好ましくは５.０〜８.０ｍｍである。発泡シートの形状について、一般的には平板状のシートが用いられるが、場合によっては波板状、凹凸状に加工したものも使用可能である。
【００３２】
また、発泡シートの発泡倍率が２０倍未満の場合は、果実類の大きさや重さによってはクッション性がなく、果実の保護には不適となる。一方、発泡倍率が６０倍を超える場合は、シート自体が嵩張り、製品果実のスペースを狭めるので好ましくない。従って、本発明に用いる発泡シートの発泡倍率は２０〜６０倍であり、更に好ましくは４０〜５０倍である。
【００３３】
本発明の発泡ネット及び発泡シートの作製方法は、塩化ナトリウム、塩化マグネシウム、塩化カルシウム及び塩化カリウムからなる群より選ばれる少なくとも一種の無機塩１０〜１０００ｐｐｍと、グリセリンの脂肪酸エステル１０００〜２００００ｐｐｍを含み分散させたり、或いはナトリウムイオンとマグネシウムイオンを５０〜１０００ｐｐｍ分散させることにより作製する。具体的には、まず、塩化ナトリウム、塩化マグネシウム、塩化カルシウム、塩化カリウムからなる群より選ばれる少なくとも一種の無機塩と、グリセリンの脂肪酸エステルを高濃度で、ポリオレフィン系樹脂中に添加して押出し、ＭＢ（マスターバッチ）ペレットとして製作したり、或いは、ＭｇＣｌ２及びＮａＣｌを含む高濃度水溶液を調製し、これをポリオレフィン系樹脂に添加して押出し、ＭＢペレットを作製する。ここで、高濃度水溶液中のＭｇＣｌ２／ＮａＣｌ（質量比）は１.５〜２.８が好ましい。
【００３４】
そして、ポリオレフィン系樹脂に上記ＭＢペレットを所定量配合し、均一に混合した樹脂混合物として押出機へ供給する。発泡ネットの場合は、例えば、多数のストランド孔が円周方向に設置された回転丸ダイスが取り付けられた単軸押出機或いはタンデム押出機を用い、上記の樹脂混合物を溶融混練し、可塑化させた段階で先に述べた所望の発泡方法に従って製造できる。また発泡シートの場合は、Ｔダイス或いは通常の丸ダイスが取り付けられた押出機で容易に作製できる。
【００３５】
第一及び第三の本発明では、ポリオレフィン系樹脂に含まれる無機塩の量を１０〜１０００ｐｐｍに、グリセリンの脂肪酸エステルの量を１０００〜２００００ｐｐｍに規定している。
【００３６】
この無機塩は、同時に添加されるグリセリンの脂肪酸エステルとの組み合わせで、抗菌効果と共に鮮度保持効果の一つの指標であるＱＲＳ値を向上させる。即ち、発泡ネットや発泡シートへの成形時、ポリオレフィン系樹脂中に含まれるグリセリンの脂肪酸エステルの一部が、無機塩からの微量のナトリウムイオン、マグネシウムイオン、等を伴ってブリードアウトして表面へ移動し、抗菌効果と共に鮮度保持効果を発揮する。又、ポリオレフィン系樹脂を用いていることから、Ｔｇが常時常温以下に有り、継続してこれら添加成分が表面へ移動、供給され、抗菌効果と共に鮮度保持効果が安定して持続される。
【００３７】
ここで無機塩の添加量が１０ｐｐｍ未満では抗菌性能が少なく鮮度保持効果の指標であるＱＲＳ値も低く効果がなく、また１０００ｐｐｍを超えるとイオンの形より塩としての形態が強くなり抗菌性能は一定となり、ＱＲＳ値に示される鮮度保持効果の大幅な性能向上は期待出来ない。この為、無機塩の量は、１０〜１０００ｐｐｍが好ましく、より望ましくは２００〜５００ｐｐｍの範囲が推奨される。
【００３８】
一方、グリセリンの脂肪酸エステルの添加量が、１０００〜２００００ｐｐｍの範囲にあると、抗菌効果と共に鮮度保持効果の一つの指標であるＱＲＳ値が向上する。グリセリンの脂肪酸エステルを含む防曇剤の量が１０００ｐｐｍ未満ではポリオレフィン系樹脂中から発泡ネット、発泡シート表面へのブリートアウト量が不足し、継続した鮮度保持性能維持が難しく、一方、２００００ｐｐｍを超えると、表面に移行するブリードアウト量が多くなり過ぎ、発泡ネット、発泡シート表面がベタ付き好ましくない。又、製造時、気化し排気ラインを汚染し好ましくない。従って、グリセリンの脂肪酸エステルを含む防曇剤の量は、１０００〜２００００ｐｐｍが好ましく、望ましくは５０００〜１００００ｐｐｍが推奨される。
【００３９】
第一及び第三の本発明では、発泡ネット又は発泡シート中のナトリウムイオン及びマグネシウムイオンの濃度は、５０〜１０００ｐｐｍである。このような濃度になるように、ポリオレフィン樹脂に対する上記ＭＢペレットの配合量を決定する必要がある。
【００４０】
以上説明した鮮度保持機能を発現する発泡ネット及び発泡シートにおけるＭｇＣｌ２／ＮａＣｌ（質量比）の好適範囲と、ナトリウムイオン及びマグネシウムイオンの濃度の範囲は、鮮度保持効果の一つの判断基準であるＱＲＳ値を向上させる点で非常に有効である。例えば、ナトリウムイオンとマグネシウムイオンの濃度が５０ｐｐｍ未満の場合は、ＱＲＳ値が４００００以下となり、鮮度保持効果が発現しない。実際、桃、ぶどう、柿の評価において、従来の発泡ネット、発泡シート、ダンボールと比較して鮮度保持の差が認められなかった。一方、その濃度が１０００ｐｐｍを超える場合は、ＱＲＳ値は４８０００を示してそれ以上は上がらず、鮮度保持効果は変わらない。実際、桃、ぶどう、柿の評価でにおいて、従来の発泡ネット、発泡シート、ダンボールと比較して、桃、ぶどうは２週間程度、柿は３週間程度、鮮度保持の効果が認められた。従って、発泡ネット及び発泡シートのナトリウムイオンとマグネシウムイオンの濃度は５０〜１０００ｐｐｍであり、更に好ましくは４００〜１０００ｐｐｍである。一般的なフィルムでのナトリウムイオンとマグネシウムイオンの好ましい分散濃度は５０〜５００ｐｐｍだが、本発明の発泡体では材料中でのイオンの分散が希薄となり、発泡ネットでは更に拡張して用いることから、４００〜１０００ｐｐｍが好ましい範囲である。
【００４１】
ここで、鮮度保持効果を示す指標であるＱＲＳ[Quantum Resonance Spectrometer（量子共鳴分析器）]値は、生体の持つ微弱な電磁エネルギー情報（細胞レベル）の測定、分析を被検体と測定者の間で起こる生体共鳴を利用し、生体共鳴による測定者の生体電磁反応の変化を生体インピーダンス（抵抗）の変化として捕らえたものである。一般に、被対象物に対して４０,０００の以上のＱＲＳ値を示せば、鮮度保持機能を発現すると判断出来る。
【実施例】
【００４２】
以下、実施例により本発明を更に詳細に説明する。以下の記載において「部」は「質量部」を意味する。
（１）第一の発明に係る比較例、実施例
本発明で、第一の発明に付いて以下の通り作成、評価し、その結果を比較例１〜８を表１に、実施例１〜４を表２に示す。
【００４３】
基材樹脂として低密度ポリエチレン（ＪＡ４１４Ａ：日本ポリエチレン（株）製）９０部、ホモポリプロピレン（Ｆ７０４Ｎ：プライムポリマー（株）製）１０部、発泡核剤（ＥＥ２７５：永和化成(株)製）１.４部を配合した。
【００４４】
ここに無機塩して、塩化ナトリウム、塩化マグネシウム、塩化カルシウム、塩化カリウム（和光純薬工業（株）製）の何れか、或いは組み合わせ５〜２０００ｐｐｍとなる様配合し、塩化マグネシウムと塩化ナトリウムの混合物では（ＭｇＣｌ２／ＮａＣｌ）質量比＝２となる様に、又、塩化カルシウムと塩化ナトリウムの混合物では（ＣａＣｌ２／ＮａＣｌ）質量比＝２で、塩化ナトリウムと塩化カリウムの混合物では（ＮａＣｌ／ＫＣｌ）重量比＝１で配合し、更にグリセリンの脂肪酸エステルとして、グリセリンモノミリスチレート或いはグリセリンモノパルミチレート（理研ビタミン（株）製）を５００〜２５０００ｐｐｍとなる様配合した。
【００４５】
この混合物を、４５Φの外周に多数のストランド孔が二重の円周に設置され交互に反対側に回転する丸ダイスが取り付けられた５０Φ単軸押出機（中谷機械(株)製）を用いて、１８０〜２００℃で可塑化させ、その可塑化段階で押出機途中にブタンガス５〜１０部を圧入して、丸ダイスから押し出し、発泡倍率が表１、表２の各値となる様に発泡キャップネットを試作した。また、ストランド径については、引き巻き取り速度を変化させて表１、表２の各値となる様にした。
【００４６】
また、同様に混合物を、１２５Φの外周に複数のストランド孔が二重の円周に設置され交互に反対側に回転する丸ダイスが取り付けられた９０Φ単軸タンデム型押出機（三菱重工(株)製）を用いて、１８０〜２００℃で可塑化させ、一段目押出機途中にブタンガスとペンタンガス混合ガスを８〜１５部を圧入して、引き巻き取り速度を変化させて、厚さ１.５〜５.０ｍｍ前後、幅１０．０〜２０．０ｍｍ前後の扁平ストランドを表１の比較例３、４、表２の実施例５、６の各値となる様に押し出し、発泡中敷ネットを試作した。
【００４７】
このようにして得た発泡キャップネット及び発泡中敷ネットのサンプルについて、鮮度保持効果の指標の一つとしてＪＩＳＺ２８０１（ＪＩＳ番号を確認しました）に準じた抗菌試験を大腸菌（Escherichia coli）を用いて行った。試作した発泡キャップネット及び発泡中敷ネットの一部を、熱板プレスで１２０℃、５０Ｋｇ／ｃｍ２、２秒でフィルム化してサンプルとし、この際、サンプルフィルム表面の状態を保つためにアルコールによる拭き取りは行わなかった。
【００４８】
１／５００普通ブイヨン培地に大腸菌（Escherichia coli）を規定数量入れて４ｃｍ角のサンプルフィルム表面に滴下してＰＥフィルムと挟み込み、３５℃、２４時間経過した後にサンプルフィルム表面を洗浄し、普通ブイヨン培地を回収し、普通寒天培地を用いて菌数を測定した。またＰＥフィルム同士に挟み込んだサンプルをControlとして、２４時間後の実験結果と比較した。ここでは、顕微鏡下で菌を１つ１つ数えるのは困難なため、コロニーを測定しそれを生菌数CFU（colony  forming  unit）とし、結果はｎ＝３の平均値として、表１、表２に示した。
【００４９】
また、このようにして得た発泡キャップネット及び発泡中敷ネットのサンプルについて、鮮度保持効果を示す指標であるＱＲＳ値を量子共鳴分析器を用いて測定し、その結果を表１、表２に示した。
【００５０】
またストランド強度・クッション性と共にネットのベタ付き性を評価する為に、これら発泡キャップネット及び発泡中敷ネットサンプル及び従来の発泡ネットを直径１００ｍｍ径の球に手で被せ、破損状態を目視判断した。結果を表１、表２に示す。表中、「○」は問題なく使用可能であったことを示し、「△」は一部不適合であったことを示し、「×」は不適合であったことを示す。
【００５１】
更に実用上の鮮度保持効果を評価する為に、これら発泡キャップネットサンプル及び従来の発泡ネットを桃の箱詰め梱包時に個包装として覆い、１２日間鮮度維持状態を観察した。
【００５２】
一方、試作した発泡中敷ネットサンプルに付いては、桃への下敷きと上載せで、同様に１２日間鮮度維持状態を観察した。
【００５３】
表中、「○」は桃の表面に褐変が見られず、果肉が一定の硬度を持ち、賞味可能であったことを示し、「△」は一部不適合であったことを示し、「×」は不適合であったことを示す。
【００５４】
また同様に実用上の鮮度保持効果を評価する為に、これら発泡キャップネットサンプル及び従来の発泡ネットをスチューベン品種のぶどうに被せ、２１日間鮮度維持状態を観察した。一方、試作した発泡中敷ネットサンプルに付いては、ぶどうの下敷きと上載せで、同様に２１日間鮮度維持状態を観察した。
【００５５】
表中、「○」はぶどうに脱粒が認められず、果肉が一定の弾力を持ち、賞味可能であったことを示し、「△」は一部不適合であったことを示し、「×」は不適合であったことを示す。
【００５６】
【表１】
2013227076.tif 000002
【００５７】
表１から明らかように発泡キャップネット及び発泡中敷ネットで、発泡倍率及びストランド径が、規定する範囲以外では、ストランド強度、クッション性に問題が有り、無機塩とグリセリンの脂肪酸エステルの配合量が適正範囲外では、十分な抗菌性能を示すことが出来ず、鮮度保持効果を示すことが出来なかった。また無機塩或いはグリセリンの脂肪酸エステルの配合量が適正範囲以上では、発泡キャップネットのベタ付きが見られ好ましくなかった。表１中ストランド径でa＊ｂとあるのは、厚さａｍｍ幅がｂｍｍであることを示す。
【００５８】
【表２】
2013227076.tif 000003
【００５９】
表２から明らかように発泡キャップネットに無機塩とグリセリンの脂肪酸エステルを含む実施例１〜４及び発泡中敷ネットの実施例５〜６は、発泡ネットとして求められる物性は問題なく、十分な抗菌性能と共に鮮度保持効果を示した。
【００６０】
（２）第二の発明に係る比較例、実施例
本発明で、第二の発明に付いて以下の通り作成、評価し、その結果を比較例９〜１２、実施例７〜９として表３に示す。
【００６１】
基材樹脂として低密度ポリエチレン（ＪＡ４１４Ａ：日本ポリエチレン(株)製）９０部、ホモポリプロピレン（Ｆ７０４Ｎ：プライムポリマー(株)(株)製）１０部、発泡核剤（ＥＥ２７５：永和化成(株)製）１.４部を配合し、ここにナトリウムイオンとマグネシウムイオンを分散させたポリエチレン系ＭＢ（登録商標“スパッシュ”ＭＢ：(株)ミカサ製）を１〜２５部添加し、ナトリウムイオンとマグネシウムイオンの含有率が表３の各値になる様にして、均一に混合した（ＭｇＣｌ２／ＮａＣｌ（質量比）＝２.２）。
【００６２】
この混合物を、４５Φの外周に多数のストランド孔が二重の円周に設置され交互に反対側に回転する丸ダイスが取り付けられた５０Φ単軸押出機（中谷機械(株)製）を用いて、１８０〜２００℃で可塑化させ、その可塑化段階で押出機途中にブタンガス５〜１０部を圧入して、丸ダイスから押し出し、発泡倍率が表３の各値となる様に発泡させた。また、ストランド径については、引き巻き取り速度を変化させて表３の各値となる様にした。
【００６３】
このようにして得た発泡ネットのサンプルについて、鮮度保持効果を示す指標であるＱＲＳ値を量子共鳴分析器を用いて測定し、その結果を表３に示す。
【００６４】
またストランド強度・クッション性を評価する為に、これらサンプル及び従来の発泡ネットを直径１００ｍｍ径の球に手で被せ、破損状態を目視判断した。結果を表３に示す。表中、「○」は問題なく使用可能であったことを示し、「△」は一部不適合であったことを示し、「×」は不適合であったことを示す。
【００６５】
また鮮度保持効果を評価する為に、これらサンプル及び従来の発泡ネットを桃の箱詰め梱包時に個包装として覆い、１２日間鮮度維持状態を観察した。表中、「○」は桃の表面に褐変が見られず、果肉が一定の硬度を持ち、賞味可能であったことを示し、「△」は一部不適合であったことを示し、「×」は不適合であったことを示す。
【００６６】
また鮮度保持効果を評価する為に、これらサンプル及び従来の発泡ネットをスチューベン品種のぶどうに被せ、２１日間鮮度維持状態を観察した。表中、「○」はぶどうに脱粒が認められず、果肉が一定の弾力を持ち、賞味可能であったことを示し、「△」は一部不適合であったことを示し、「×」は不適合であったことを示す。
【００６７】
【表３】
2013227076.tif 000004
【００６８】
表３に示す様に、従来の発泡ネットや、ナトリウムイオンとマグネシウムイオンの含有量が４０ｐｐｍの場合は、鮮度保持効果が不適合であった。また、発泡倍率が１９倍、６１倍の場合や、発泡ストランド径が１.２ｍｍ、１.４ｍｍ、３.１ｍｍの場合は、ストランド強度、クッション性が不適合であった。
【００６９】
（３）第三の発明に係る比較例、実施例
本発明で、第三の発明に付いて以下の通り作成、評価し、その結果を比較例１３〜２０を表４に、実施例１０〜１３を表５に示す。
【００７０】
基材樹脂として低密度ポリエチレン（ＪＡ４１４Ａ：日本ポリエチレン(株)製）８５部、高密度ポリエチレン（２１００Ｊ：プライムポリマー(株)製）１５部、発泡核剤（ハイドロセロール３２５：ベーリンガー(株)製）１.０部を配合した。
【００７１】
ここに無機塩して、塩化ナトリウム、塩化マグネシウム、塩化カルシウム、塩化カリウム（和光純薬工業（株）製）の何れか、或いは組み合わせ５〜２０００ｐｐｍとなる様配合し、塩化マグネシウムと塩化ナトリウムの混合物では（ＭｇＣｌ２／ＮａＣｌ）質量比＝２となる様に、又、塩化カルシウムと塩化ナトリウムの混合物では（ＣａＣｌ２／ＮａＣｌ）質量比＝２で、塩化ナトリウムと塩化カリウムの混合物では（ＮａＣｌ／ＫＣｌ）重量比＝１で配合し、更にグリセリンの脂肪酸エステルとして、グリセリンモノミリスチレート或いはグリセリンモノパルミチレート（理研ビタミン（株）製）を５００〜２５０００ｐｐｍとなる様配合した。
【００７２】
この混合物を１２０Φの丸ダイスが取り付けられた９０Φ単軸押出機（池貝鉄工(株)製）を用いて、１８０〜２００℃で可塑化させ、可塑化段階で押出機途中にブタン／ペンタン＝５０／５０（体積比）ガス５〜１０部を圧入して、丸ダイスから押し出し、発泡倍率が表４、表５の各値となる様に発泡させた。また、発泡シート厚さについては、引き巻き取り速度を変化させて表４、表５の各値となる様にした。
【００７３】
このようにして得た発泡シートのサンプルについて、鮮度保持効果の指標の一つとしてＪＩＳＺ２８０１（ＪＩＳ番号を確認しました）に準じた抗菌試験を大腸菌（Escherichia coli）を用いて行った。試作した発泡シートの一部を、熱板プレスで１２０℃、５０Ｋｇ／ｃｍ２、２秒でフィルム化してサンプルとし、この際、サンプルフィルム表面の状態を保つためにアルコールによる拭き取りは行わなかった。
【００７４】
以下、抗菌試験の方法は、比較例１〜８、実施例１〜４と同様に行い、結果はｎ＝３の平均値として、表４、表５に示した。
【００７５】
又、このようにして得た発泡シートのサンプルについて、鮮度保持効果を示す指標であるＱＲＳ値を量子共鳴分析器を用いて同様に測定し、その結果を表４、表５に示す。
【００７６】
また、発泡シートのクッション性を評価する為に、これらサンプル及び従来の発泡シートの上に直径８０ｍｍ径、重さ３００ｇの円柱錘を載せ、圧縮状態を目視判断した。その結果を表４、表５に示す。表中、「○」は問題なく使用可能であったことを示し、「△」は一部不適合であったことを示し、「×」は不適合であったことを示す。
【００７７】
また鮮度保持効果を評価する為に、これらサンプル及び従来の発泡シートを、脱渋後の柿の箱詰め梱包の下敷シート及び中間の中敷シートとして用い、３週間鮮度維持状態を観察した。その結果を表４、表５に示す。表中、「○」は問題なく使用可能であったことを示し、「△」は一部不適合であったことを示し、「×」は不適合であったことを示す。
【００７８】
【表４】
2013227076.tif 000005
【００７９】
表４から明らかように発泡シートで、発泡倍率及びシート厚みが、規定する範囲以外では、クッション性に問題が有り、無機塩とグリセリンの脂肪酸エステルの配合量が適正範囲外では、十分な抗菌性能を示すことが出来ず、鮮度保持効果を示すことが出来なかった。また無機塩或いはグリセリンの脂肪酸エステルの配合量が適正範囲以上では、発泡シートのベタ付きが見られ好ましくなかった。
【００８０】
【表５】
2013227076.tif 000006
【００８１】
表５から明らかように発泡シートに無機塩とグリセリンの脂肪酸エステルを含む実施例１０〜１３は、発泡シートとして求められる物性は問題なく、十分な抗菌性能と共に鮮度保持効果を示した。
【００８２】
（４）第四の発明に係る比較例、実施例
本発明で、第四の発明に付いて以下の通り作成、評価し、その結果を比較例２１〜２４、実施例１４〜１７を表６に示す。
【００８３】
基材樹脂として低密度ポリエチレン（ＪＡ４１４Ａ：日本ポリエチレン(株)製）８５部、高密度ポリエチレン（２１００Ｊ：プライムポリマー(株)製）１５部、発泡核剤（ハイドロセロール３２５：ベーリンガー(株)製）１.０部を配合し、ここにナトリウムイオンとマグネシウムイオンを分散させたポリエチレン系ＭＢ（登録商標“スパッシュ”ＭＢ：(株)ミカサ製）を１〜２５部添加し、ナトリウムイオンとマグネシウムイオンの含有率が表６の各値になる様にして均一に混合した（ＭｇＣｌ２／ＮａＣｌ（質量比）＝２.２）。
【００８４】
この混合物を１２０Φの丸ダイスが取り付けられた９０Φ単軸押出機（池貝鉄工(株)製）を用いて、１８０〜２００℃で可塑化させ、可塑化段階で押出機途中にブタン／ペンタン＝５０／５０（体積比）ガス５〜１０部を圧入して、丸ダイスから押し出し、発泡倍率が表２の各値となる様に発泡させた。また、発泡シート厚さについては、引き巻き取り速度を変化させて表６の各値となる様にした。
【００８５】
このようにして得た発泡シートのサンプルについて、鮮度保持効果を示す指標であるＱＲＳ値を量子共鳴分析器を用いて同様に測定し、その結果を表６に示す。
【００８６】
また、発泡シートのクッション性を評価する為に、これらサンプル及び従来の発泡シートの上に直径８０ｍｍ径、重さ３００ｇの円柱錘を載せ、圧縮状態を目視判断した。結果を表６に示す。表中、「○」は問題なく使用可能であったことを示し、「△」は一部不適合であったことを示し、「×」は不適合であったことを示す。
【００８７】
また鮮度保持効果を評価する為に、これらサンプル及び従来の発泡シートを、脱渋後の柿の箱詰め梱包の下敷シート及び中間の中敷シートとして用い、３週間鮮度維持状態を観察した。結果を表６に示す。表中、「○」は問題なく使用可能であったことを示し、「△」は一部不適合であったことを示し、「×」は不適合であったことを示す。
【００８８】
【表６】
2013227076.tif 000007
【００８９】
表６に示す様に、従来の発泡ネットや、ナトリウムイオンとマグネシウムイオンの含有量が４０ｐｐｍの場合は、鮮度保持効果が不適合であった。また、発泡倍率が１２倍、１８倍、６１倍、６４倍の場合や、発泡シート厚さが１.６ｍｍ、１.８ｍｍ、１３.０ｍｍ、１３.５ｍｍの場合は、発泡シートのクッション性が不適合であった。
【産業上の利用可能性】
【００９０】
以上の通り、本発明の食品鮮度保持用発泡ネット及び発泡シートは、鮮度保持効果及びその他の性能に優れるものである。
【００９１】
本発明の発泡ネット及び発泡シートは、例えば、果実類の搬送、保管、取り扱い時、鮮度を１週間以上保持し、賞味期間を延ばすことが出来る様になったことで、廃棄率を低減しコストの低減を図ることが出来る。また例えば、鮮度保持期間を延ばすことが可能となったことで、東南アジアや南米からの輸入果実類の促進、或いは、国内高級果実類の海外への輸出が可能となる。さらに、鮮度保持機能と同時にクッション性も有していることから、広く他の青果物、動物性食材の搬送、保管にも有用である。